(57)【要約】【課題】シート状の防火スクリーンにおいて、スクリーンをロール状に巻くときに支障が生じないようにしたうえで、ドアの形態を保持できるようにする。【解決手段】可撓性を有する耐火シートにて構成されたスクリーン１２を備える。スクリーン１２は、ロール状に巻かれた状態で天井側に収納されるとともに、巻き戻しにより垂下されて建物の内部空間を間仕切り可能である。スクリーン１２に、可撓性および耐火性を有するシートにて構成されるとともに上辺に剛性が付与されたドア１５が設けられる。ドア１５は、垂直方向の軸心のまわりに旋回することにより開閉可能である。この軸心の延長線上におけるドア１５よりも上部の位置と、ドア１５の上辺における軸心以外の位置との間に、可撓性および耐火性を有する紐状体３０がわたされる。この紐状体３０によって、ドア１５の上辺を吊り下げ状態に支持する。【選択図】図１
2008061722.tif 000002
【特許請求の範囲】
【請求項１】
可撓性を有する耐火シートにて構成されたスクリーンを備え、このスクリーンは、ロール状に巻かれた状態で天井側に収納されるとともに、巻き戻しにより垂下されて建物の内部空間を間仕切り可能であり、前記スクリーンに、可撓性および耐火性を有するシートにて構成されるとともに上辺に剛性が付与されたドアが設けられ、このドアは、垂直方向の軸心のまわりに旋回することにより開閉可能であり、前記軸心の延長線上におけるドアよりも上部の位置と前記上辺における前記軸心以外の位置との間に、可撓性および耐火性を有する紐状体が渡されて、この紐状体によってドアの上辺を吊り下げ状態に支持していることを特徴とする防火区画用スクリーンシャッター装置。
【請求項２】
ドアの少なくとも上辺に水平方向の剛性部材が設けられており、この剛性部材は、天井側においてスクリーンとともにロール状に巻かれた状態で収納されることが可能であることを特徴とする請求項１記載の防火区画用スクリーンシャッター装置。
【請求項３】
閉状態のドアの旋回端およびその近傍に重なって配置される重ね合わせシートを有し、この重ね合わせシートは、ドアの軸心とは別の垂直方向の軸心のまわりに旋回可能であることで、前記ドアの開動時にこのドアに押されて開動可能であるとともに、前記ドアの閉動時にこのドアに押されて閉動可能とされていることを特徴とする請求項１または２記載の防火区画用スクリーンシャッター装置。
【請求項４】
重ね合わせシートは、ドアの閉動時にこのドアに押される被押圧部を有し、被押圧部は折りたたみ部を有し、この折りたたみ部は、折りたたみ動作を行うことにより、重ね合わせシートの開状態時と閉状態時とのいずれにおいてもドアの表面に沿って位置することが可能とされていることを特徴とする請求項３記載の防火区画用スクリーンシャッター装置。
【請求項５】
剛性部材に対応したスクリーンの位置に、剛性を有する枠部が設けられ、前記剛性部材にドアラッチが設けられるとともに、このドアラッチが入り込み可能な穴部が前記枠部に形成され、ドアにノブが設けられ、このノブの動きを前記ドアラッチに伝達させて、このドアラッチを前記穴部から抜き出させるための、可撓性および耐火性を有する紐状伝達部材を有することを特徴とする請求項２から４までのいずれか１項記載の防火区画用スクリーンシャッター装置。
【発明の詳細な説明】
【技術分野】
【０００１】
本発明は防火区画用スクリーンシャッター装置に関し、特に、可撓性を有する耐火シートにて構成されたスクリーンを備え、このスクリーンは、ロール状に巻かれた状態で天井側に収納されるとともに、巻き戻しにより垂下されて建物の内部空間を間仕切りすることにより防火機能を果たすように構成されている防火区画用スクリーンシャッター装置に関する。
【背景技術】
【０００２】
この種の防火区画用スクリーンシャッター装置として、可撓性を有する耐火シートにて構成されたスクリーンに、可撓性および耐火性を有するシートにて構成されたドアが設けられたものが知られている（特許文献１）。
【０００３】
すなわち、火災発生時において、避難しようとする人は、このドアを通り抜けることによって、火災発生現場から遠ざかることが可能である。このドアは、人が通り抜けるときには開くが、人が通り抜けた後は、再び閉じることで、ドアの部分で防火性能が低下しないようにされている。
【特許文献１】特開平１１−２５６９５３号公報
【発明の開示】
【発明が解決しようとする課題】
【０００４】
ドアは、普段はスクリーンと一緒にロール状に巻かれた状態で天井側に収納されていることが必要であり、このため上述のように可撓性を有するように構成されている。
しかし、シート状で可撓性を有することから剛性が低く、このためドアの形態のくずれを伴う垂れ下がりが発生して本来の形態を保持できず、その結果、ドアの下端部が床に接触して開閉時に擦れが発生し、よって開きにくいものとなるとともに、開いた後は閉じにくいものとなって、ドアとして正常に機能できなくなる可能性がある。
【０００５】
このため特許文献１のものでは、剛性を有する部材によってドアを補強することが行われている。
ところが、垂れ下がりを防止するためには、剛性を有する部材をできるだけ垂直方向に近い方向に配置することが必要であり、そうすると、天井側への収納のためにロール状に巻くことが困難になりやすい。また剛性を有する部材によってシート状のドアを補強すると、この剛性を有する部材を設置して補強を行っている部分では、ドアと剛性を有する部材とが重なることによる厚みむらが発生し、このためドアを構成しているシートにしわが発生したり、この部分でドアに破れが発生したりするおそれがある。
【０００６】
そこで本発明は、このような問題点を解決して、ドアを有したシート状の防火スクリーンにおいて、スクリーンをロール状に巻くことが困難にならないようにするとともに、ドアにおける破れやしわの発生を防止したうえで、ドアの形態を保持できるようにすることを目的とする。
【課題を解決するための手段】
【０００７】
この目的を達成するため本発明の防火区画用スクリーンシャッター装置は、可撓性を有する耐火シートにて構成されたスクリーンを備え、このスクリーンは、ロール状に巻かれた状態で天井側に収納されるとともに、巻き戻しにより垂下されて建物の内部空間を間仕切り可能であり、前記スクリーンに、可撓性および耐火性を有するシートにて構成されるとともに上辺に剛性が付与されたドアが設けられ、このドアは、垂直方向の軸心のまわりに旋回することにより開閉可能であり、前記軸心の延長線上でドアよりも上部の位置と前記上辺における前記軸心以外の位置との間に、可撓性および耐火性を有する紐状体が渡されて、この紐状体によってドアの上辺を吊り下げ状態に支持していることを特徴とするものである。
【０００８】
このような構成であると、シートにて構成されたドアを、軸心の延長線上でドアよりも上部の位置と、剛性が付与された上辺における軸心以外の位置との間に渡された紐状体によって吊り下げ状態に支持するものであるため、ドアにおける形態のくずれを伴う垂れ下がりの発生を防止することができて、このドアの形態を保持することができる。しかも、ドアを吊り下げ状態に支持するための紐状体は、可撓性および耐火性を有するものであるため、スクリーンをロール状に巻くときに柔軟に追従することができる。また、ドアよりも上側の位置に設けられた紐状体によってドアを吊り下げ支持しているだけであり、ドアと重なる部材を設ける必要がないため、ドアに破れやしわが発生することを防止できる。
【０００９】
本発明によると、上記において、ドアの少なくとも上辺に水平方向の剛性部材が設けられており、この剛性部材は、天井側においてスクリーンとともにロール状に巻かれた状態で収納されることが可能であることが好適である。
【００１０】
これにより、ドアの上辺に具体的に剛性を付与することができて、紐状体によるドアの吊り下げ支持を確実に行うことができる。
本発明によると、上記において、閉状態のドアの旋回端およびその近傍に重なって配置される重ね合わせシートを有し、この重ね合わせシートは、ドアの軸心とは別の垂直方向の軸心のまわりに旋回可能であることで、前記ドアの開動時にこのドアに押されて開動可能であるとともに、前記ドアの閉動時にこのドアに押されて閉動可能とされていることが好適である。
【００１１】
このような構成であると、ドアを閉じた状態において、吊り下げ支持されたドアにおける垂直方向の旋回端のまわりを重ね合わせシートにより確実に封止して、いっそうの防火性能を達成することができる。
【００１２】
本発明によると、上記において、重ね合わせシートは、ドアの閉動時にこのドアに押される被押圧部を有し、被押圧部は折りたたみ部を有し、この折りたたみ部は、折りたたみ動作を行うことにより、重ね合わせシートの開状態時と閉状態時とのいずれにおいてもドアの表面に沿って位置することが可能とされていることが好適である。
【００１３】
このような構成であると、被押圧部の折りたたみ部は、重ね合わせシートの開状態時においてドアの表面に沿って位置することが可能であるため、ドアの閉動時にこのドアの旋回端によって確実に押されることが可能であり、したがってドアの閉動作に連動して重ね合わせシートを閉動させることができる。また、ドアが閉状態にあるときにも、折りたたみ動作によってドアの表面に沿って位置することが可能であるため、つまりドアの厚み方向でなく面方向に沿って位置することが可能であるため、ドアすなわちシートの厚み方向に沿って大きな寸法をとることがなく、したがって防火シートを天井側への収納のためにロール状に巻くときに支障が生じにくいという利点がある。
【００１４】
本発明によると、上記において、剛性部材に対応したスクリーンの位置に、剛性を有する枠部が設けられ、前記剛性部材にドアラッチが設けられるとともに、前記枠部にドアラッチが入り込み可能な穴部が形成され、ドアにノブが設けられ、このノブの動きを前記ドアラッチに伝達させて、このドアラッチを前記穴部から抜き出させるための、可撓性および耐火性を有する紐状伝達部材を有することが好適である。
【００１５】
このような構成によると、ドアラッチによってドアを確実に閉状態に維持することができるうえに、ノブを操作することで紐状伝達部材によってラッチ状態を解除してドアを開動させることが可能であり、しかも、紐状伝達部材は可撓性を有するため、防火シートを天井側への収納のためにロール状に巻くときに一緒に巻くことができるという利点がある。
【発明の効果】
【００１６】
本発明によると、シートにて構成されたドアを、このドアの延長線の方向でドアよりも上部の位置と、剛性が付与されたドア上辺における前記軸心以外の位置との間に渡された紐状体によって吊り下げ状態に支持するものであるため、ドアにおける形態のくずれを伴う垂れ下がりの発生を防止することができて、このドアの形態を保持することができ、しかも、ドアを吊り下げ状態に支持するための紐状体は、可撓性および耐火性を有するものであるため、スクリーンをロール状に巻くときに柔軟に追従することができる。また、従来のようなドア面に沿った補強用の剛性部材を設ける必要がないため、ドアにおける厚みむらの発生を防止できて、シートにおける傷みの発生を防止でき、このため耐用年数を伸ばすことができる。
【００１７】
また本発明によると、ドアラッチを設けたことによって、ドアを確実に閉状態に維持することができる。
【発明を実施するための最良の形態】
【００１８】
図１および図２において、１１は本発明の実施の形態の防火区画用スクリーンシャッター装置で、ガラスファイバーにて形成された織布などの、可撓性を有する耐火シートにて構成されたスクリーン１２を備えている。このスクリーン１２は、水平方向のロール状に巻かれた状態で、建物の内部における天井側に収納されることが可能である。そして、図示のように巻き戻しにより天井側から垂下されて、建物の内部空間を間仕切り可能である。
【００１９】
垂下されたスクリーン１２の下端縁には、剛性を有した金属製の帯状の水平方向の下側補強部材１３が設けられている。天井側から垂下されたスクリーン１２において、この下側補強部材１３が床面に接することで、また必要に応じて下側補強部材１３が床側の保持部材によって保持されることで、このスクリーン１２が確実に設置されることになる。
【００２０】
垂下されたスクリーン１２における下側補強部材１３から上向きに距離をおいた位置には、剛性を有した金属製の帯状の水平方向の上側補強部材１４が設けられている。この上側補強部材１４と前述の下側補強部材１３とは、ドア枠として機能するように構成されている。
【００２１】
下側補強部材１３および上側補強部材１４は、いずれも上述のように帯状に形成されるとともに、その帯の面がスクリーン１２の面と同方向になるようにされ、かつ水平方向に配置されているため、スクリーン１２をロール状に巻いて天井側に収納するときに良好に追従することができる。
【００２２】
スクリーン１２の幅方向に沿った所定位置には、ドア１５が設けられている。すなわち、スクリーン１２における幅方向に沿った所定位置には、下側補強部材１３と上側補強部材１４との間に開口１６が形成されており、ドア１５は、この開口１６を開閉可能なように、同様に下側補強部材１３と上側補強部材１４とにわたって設けられている。このドア１５は、スクリーン１２と同様に、ガラスファイバーにて形成された織布などの、可撓性を有する耐火シートにて構成されて、垂直方向の軸心１７のまわりに旋回できるように構成されている。
【００２３】
軸心１７は、仮想のものでよく、具体的な軸を有している必要はない。すなわち、図示の例では、ドア１５は、縫製などによってスクリーン１２に接続されたシート、あるいはスクリーン１２から連続的に形成されたシートにて形成されており、ドア１５の上辺におよび下辺の位置に、それぞれ、剛性を有した金属製の帯状の水平方向の上側剛性部材１８と下側剛性部材１９とが設けられている。そして、上側剛性部材１８はその一端側すなわち軸心１７の位置において、垂直方向の回転軸を有する蝶番２０によって上側補強部材１４に旋回自在に連結されている。同様に、下側剛性部材１９は、その一端側すなわち軸心１７の位置において、垂直方向の回転軸を有する蝶番２１によって下側補強部材１３に旋回自在に連結されている。このような構成によって、シートにて形成されたドア１５は、実質的には蝶番２０、２１のみによって支持された状態で、これら蝶番２０、２１の回転軸すなわち軸心１７を中心として、開閉方向に旋回できるように構成されている。
【００２４】
ドア１５における上側剛性部材１８と下側剛性部材１９との中間の位置には、水平方向の帯状の補強材２２が設けられている。この補強材２２は、スクリーン１２における同等の位置にも、設けられている。
【００２５】
ドア１５は、その上端と下端とに金属製の帯状の上側剛性部材１８と下側剛性部材１９とを有し、かつ中間位置に帯状の補強材２２を有するだけであり、しかもそれらの帯の面はスクリーン１２の面と同方向であり、両剛性部材１８、１９どうしの間には帯状の補強材２２と可撓性を有したシートしか存在せず、このシートはドア１５を閉じたときにスクリーン１２と同方向となり、また補強材２２も帯状でその帯の面がスクリーン１２の面と同方向であり、かつ水平方向に配置されているだけであるので、スクリーン１２をロール状に巻いて天井側に収納するときに、同様に良好に巻き上げることができる。
【００２６】
図１〜図３に示すように、ドア１５の上側剛性部材１８と下側剛性部材１９とに沿って、ドアクローザ２５、２５が設けられている。このドアクローザ２５、２５は、細長い棒状の伸長型の力発生手段によって構成されており、その一端すなわち伸長端２６、２６が上側剛性部材１８、下側剛性部材１９に連結されている。ドアクローザ２５、２５の他端すなわち基端２７、２７は、蝶番２０、２１よりも上側剛性部材１８および下側剛性部材１９から離れた位置における、上側補強部材１４、下側補強部材１３の部分に連結されている。
【００２７】
このような構成によれば、図３に示すように、ドア１５が閉状態にあるときには、基端２７、２７と蝶番２０、２１と伸長端２６、２６とは一直線上に並ぶ。これに対し、ドア１５が開状態にあるときには、図示のように基端２７、２７と蝶番２０、２１と伸長端２６、２６とは一直線上に並ばず、ドアクローザ２５と上側および下側剛性部材１８、１９と上側および下側補強部材１４、１３とによって三角形が形成され、基端２７、２７から伸長端２６、２６までの距離は、ドア１５が閉状態にあるときよりも短くなる。よって、上記のように、ドアクローザ２５、２５は伸長型の力発生手段すなわち伸び方向に力を発生させるものであるため、ドア１５を開くとドアクローザ２５、２５は縮められることで伸びようとする力を発生し、これによってドア１５に閉じ方向の力を作用させることが可能である。
【００２８】
ドアクローザ２５、２５は、細長い棒状を呈するものであるとともに上側剛性部材１８および下側剛性部材１９に沿って水平方向に配置されるものであるため、スクリーン１２をロール状に巻いて天井側に収納するときに良好に追従することができる。
【００２９】
図１および図２に示すように、上側補強部材１４には、ドア１５が設けられている位置において、開閉式のカバー２８が設けられている。すなわち、カバー２８は、細長い水平方向の金属板にて形成されるとともに、水平方向の回転軸を有する一対の蝶番２９、２９によって、自重により上側補強部材１４から垂下した状態で、上側補強部材１４に取り付けられている。かつ、この垂下した状態で、その表面がスクリーン１２の面と同方向に向くようにされている。これによって、ドア１５の上辺と、ドア枠としての上側補強部材１４との隙間を閉じて、防火性能および防煙性能を向上することができる。カバー２８は、ドア１５が開くときに上側剛性部材１８に押されて上向きに旋回し、これによってドア１５の自由な開動を許容することができる。またカバー２８は、ドア１５が開いているときには、上側剛性部材１８におけるいずれかの部分により押し上げられ支持されている。ドア１５が閉じると、上側剛性部材１８による押し上げ状態が解除され、カバー２８は自重により元の垂下状態に戻る。
【００３０】
このカバーも２８も、他の部材と同様に細長い水平方向の金属板にて形成されており、その板面の方向がスクリーン１２の面と同方向であるように構成されているため、スクリーン１２をロール状に巻いて天井側に収納するときに良好に追従することができる。
【００３１】
図１および図２に示すように、軸心１７の延長線上におけるドア１５よりも上部の位置と、ドア１５の上辺における旋回端すなわち上側剛性部材１８の先端の位置との間には、可撓性および耐火性を備えた紐状体としての、吊り下げワイヤ３０がわたされている。この吊り下げワイヤ３０に適度の張力を付与させることで、ドア１５は、その上側剛性部材１８の先端の位置において、この吊り下げワイヤ３０によって吊り下げ支持されることになる。
【００３２】
すなわち、たとえばこのようなワイヤ３０による吊り下げ支持がなければ、上側剛性部材１８を含めたドア１５の荷重が蝶番２０およびその周辺に集中し、このため蝶番２０に過大な負荷が掛かってしまうおそれがある。また蝶番２０には回転動作を行わせるために必然的に適度の遊びが設けられており、また蝶番２０を支持している上側補強部材１４は可撓性を有したスクリーン１２に取り付けられたものであるため、ワイヤ３０による吊り下げ支持がなければ、可撓性を有したドアが、特にその開状態の際に、上側剛性部材１８の旋回端の部分が下向きに沈む方向に変形して、ドアとしての形態をくずしてしまうおそれがある。しかし、このようにワイヤ３０を用いることにより、上記のような蝶番２０への過大な負荷の発生や、ドア１５における形態のくずれを伴う変形の発生を、確実に防止することができる。これによって、形態を保持した状態で円滑に開閉することが可能なドア１５を構成することができる。
【００３３】
図示のようにワイヤ３０は水平方向から傾斜した斜め方向に設置されることになるが、このワイヤ３０は、可撓性を有するため、スクリーン１２を天井側においてロール状に巻くときに良好に追従することができる。
【００３４】
ワイヤ３０における上側剛性部材１８を支持している端部とは反対側の端部が、上述のように軸心１７の延長線上におけるドア１５よりも上部の位置に存在しているため、ドア１５は、ワイヤ３０にて吊り下げ支持された状態のまま、何ら支障なく、軸心１７のまわりに旋回して開閉動作を行うことが可能である。
【００３５】
スクリーン１２には、開閉式の重ね合わせシート３３が設けられている。すなわち、ドア１５を閉じたときには、このドア１５において上下方向に形成された旋回縁３４の近傍に隙間が生じるが、重ね合わせシート３３は、その閉時に、ドア１５の旋回縁３４およびその近傍を覆うように構成されることで、上記の隙間を閉じ、それによって防火性能および防煙性能を向上させようとするものである。
【００３６】
詳細には、スクリーン１２に設けられた上側補強部材１４におけるドア１５の旋回端に向かい合った位置には、上下方向の回転軸を有する蝶番３６が設けられており、この蝶番３６によって、水平方向の細長い上側板状体３７が旋回自在に支持されている。同様に、下側補強部材１３には、蝶番３６と同軸上に位置する蝶番３８が設けられており、この蝶番３８によって、水平方向の細長い下側板状体３９が旋回自在に支持されている。上側板状体３７および下側板状体３９は、それぞれ、重ね合わせシート３３の閉時にその板面がスクリーン１２の面と同方向となるように構成されている。
【００３７】
上側板状体３７と下側板状体３９との間にわたって、スクリーン１２やドア１５と同様の材料により形成されて可撓性および耐熱性を備えた上下方向のシート材４０が設けられている。このシート材４０は、縫製などによってスクリーン１２に接続されるか、あるいはスクリーン１２から連続的に形成されている。
【００３８】
以上にもとづき、重ね合わせシート３３を構成するシート材４０と上下一対の板状体３７、３９とが、蝶番３６、３８によって一体に開閉可能とされている。カバー２８には、重ね合わせシート３３の開閉を阻害しないように、切欠部４１が形成されている。
【００３９】
図４および図５において詳細に示すように、それぞれの板状体３７、３９と上側および下側補強部材１４、１３との間には、引張コイルばね４２、４２がわたされている。この引張コイルばね４２、４２は、重ね合わせシート３３が、スクリーン１２に沿った方向となるように閉じたときと、スクリーン１２に対し９０度の方向となるように開いたときとにおいて、それぞれ、ばね長が最小になるように設定されている。換言すると、重ね合わせシート３３が蝶番３６、３８を中心とした開閉旋回動作を行っているときは、重ね合わせシート３３が閉じているときおよび９０度方向に開いているときよりも、ばね長が長くなるように設定されている。そのため、重ね合わせシート３３は、ばね４２、４２の力によって、閉じた状態と９０度方向に開いた状態とに、安定して保持されるように構成されている。
【００４０】
図４および図５において詳細に示すように、上下の板状体３７、３９には、被押圧部４３が設けられている。すなわち、蝶番３６、３８は、その回転軸が、上下の補強部材１４、１３から、ドア１５が開く方向に一定の距離をおいて位置するように設けられている。このため、重ね合わせシート３３が閉じた状態のときに、上下の板状体３７、３９とスクリーン１２との間には、所定の奥行きの空間４４が形成されることになる。被押圧部４３は、重ね合わせシート３３が閉じた状態のときに上下の板状体３７、３９から空間４４に向けて直角方向に突出するように設けられた基端部４５と、この基端部４５に対して折りたたみ動作を行う折りたたみ部４６とを有する。
【００４１】
詳しくは、基端部４５は上下の板状体３７、３９に取り付けられて一体化されており、この基端部４５の突出端には、上下方向の回転軸を有する蝶番４７が設けられている。折りたたみ部４６は、この蝶番４７に取り付けられており、この蝶番４７を中心として、図４に示すように基端部４５から板状体３７、３９の先端側に向けて折りたたまれた姿勢となるように旋回した状態と、図５に示すように基端部４５に連続して板状体３７、３９から９０度方向に伸びた姿勢となるように旋回した状態とをとることが可能とされている。基端部４５と折りたたみ部４６との間には引張コイルばね４８がわたされており、このばね４８は、折りたたみ部４６を引張ることによって、この折りたたみ部４６が、図５に示すように基端部４５に連続して板状体３７、３９から９０度方向に伸びる姿勢となるように力を及ぼすものである。
【００４２】
図４は、ドア１５と重ね合わせシート３３とがともに閉じた状態である場合を示し、このときに、折りたたみ部４６は、補強部材１３、１４、あるいはスクリーン１２における補強部材１３、１４にてバックアップされた部分に当たっていることで、上述のように折りたたまれた姿勢となっている。また板状体３７、３９すなわち重ね合わせシート３３は、ばね４２、４２の作用によって閉じた状態に保持されている。
【００４３】
この状態でドア１５を開くと、このドア１５の旋回縁３４すなわち上下の剛性部材１８、１９の先端部によって、板状体３７、３９がばね４２の力に抗して開方向に押され、蝶番３６、３８を中心にして回転する。重ね合わせシート３３すなわち板状体３７、３９がある程度以上開くと、今度は、ばね４２は板状体３７、３９すなわち重ね合わせシート３３を上述のようにスクリーン１２に対し９０度方向に開かせようと作用し、その開いた状態に保持させる。図５は、このように重ね合わせシート３３が開ききったときの状態を示す。また、このとき、被押圧部４３の折りたたみ部４６は、上述の補強部材１３、１４などに当たった状態から解放され、ばね４８の力によって、基端部４５に連続して板状体３７、３９から９０度の方向に伸びる姿勢となるように保持されている。
【００４４】
次にドア１５を閉じる場合について説明する。このとき、図５に示すように、また上述のように、被押圧部４３の折りたたみ部４６は解放状態にあって基端部４５に連続して板状体３７、３９から突出している。このように突出した折りたたみ部４６は、図示のようにドア１５の旋回縁３４の閉動経路上に存在し、ドア１５が接近したときにはドア１５の表面に沿って配置されることになる。
【００４５】
したがって、図示のように閉じようとするドア１５が被押圧部４３の折りたたみ部４６を押すことになり、その結果、被押圧部４３と板状体３７、３９すなわち重ね合わせシート３３とは、ばね４２の力に抗して、蝶番３６、３８を中心にして、重ね合わせシート３３が閉じる方向に旋回する。ドア１５による押圧がさらに行われて重ね合わせシート３３が旋回すると、ばね４２は、板状体３７、３９すなわち重ね合わせシート３３に対し閉じる方向に力を及ぼすようになる。
【００４６】
一方、ドア１５に押された折りたたみ部４６は、補強部材１３、１４などに当たってしまうと、それ以上は蝶番３６、３８を中心として旋回することはできない。これに対し基端部４５は重ね合わせシート３３とともに蝶番３６、３８を中心としてさらに旋回することができ、これによって折りたたみ部４６と基端部４５とが蝶番４７を中心にして相対的に旋回することになる。その結果、図示のように、折りたたみ部４６は、折りたたまれた状態となって閉じられたドア１５の表面に沿って位置され、その折りたたまれた状態で空間４４に収納されることになる。
【００４７】
被押圧部４３は、上述のようにドア１５の旋回縁３４に当たることが必要であるから、図５に示す折りたたみ解放状態においては、板状体３７、３９から所定距離だけ突出していることが必要である。いま、もし被押圧部４３が上述のような折りたたみ構造を有しないと、この被押圧部４３は図５に示すだけの突出長さが必要になる。そして、その状態で重ねあわせシート３３が閉じると、この突出状態の被押圧部４３を収容するために、空間４４は、それに対応した大きな奥行き寸法を有することが必要になる。すなわち、蝶番３６、３８が、図示のものよりもスクリーン１２や補強部材１３、１４から離れて位置しなければならない。
【００４８】
そうすると、他の部分に比べて、被押圧部４３を設けた部分だけが特別に大きな厚みを有することになって、スクリーン１２をロール状に巻いて天井側に収容するときに困難が発生すると予想される。これに対処するために被押圧部４３を短くすると、ドア１５との掛かり代が短くなって、上述したドア１５の開閉動作と重ね合わせシート３３の開閉動作との連動ができにくくなるおそれがある。
【００４９】
これに対し、上述のように被押圧部４３を折りたたみ構造とし、図４に示すようにドア１５が閉じられて被押圧部４３が折りたたまれたときには、折りたたみ部４６が、ドア１５に対して直交する方向の姿勢となるのではなく、ドア１５の表面に沿って位置する姿勢となるように構成することで、この被押圧部４３におけるドア１５との掛かり合い代を十分に確保したうえで、この被押圧部４３を収容するための空間４４を浅くすることができる。すなわち、蝶番３６、３８および板状体３７、３９を、スクリーン１２や補強部材１３、１４に近づけることができる。このため、被押圧部４３を設けた部分が厚くなり過ぎないようにして、天井側への巻き取りを支障なく行うようにすることができる。
【００５０】
被押圧部４３が折りたたみ構造でない場合は、図５に示すように被押圧部４３が重ね合わせシート３３から直角方向に突出した状態から、蝶番３６、３８を中心として重ね合わせシート３３を閉動作させると、それにつれて被押圧部４３も蝶番３６、３８を中心として回転される。その場合において、重ね合わせシート３３が閉状態となると、被押圧部４３は、重ね合わせシート３３から直角方向に突出したままの状態で空間４４に収容される。すると、空間４４を、折りたたみ構造でない被押圧部４３の長さに対応した深いものにしないと、この被押圧部４３を収容することができなくなる。それでは、スクリーン１２の巻き取りが困難になってしまい、本発明の目的に反することになる。
【００５１】
また、天井には、この天井からスクリーン１２を垂下させるためにスクリーン１２を通過させるスリットが形成されるが、被押圧部４３を設けた部分が厚くなると、それに対応してスリットの幅を広くしなければならない。すると、火災発生時に、このように幅広に形成されたスリットを通って煙が天井内に入り込んでしまうという不都合が生じるおそれがある。これに対し、上述のように被押圧部４３を設けた部分が厚くなり過ぎないようにすることで、スリットの幅を必要最小限として、火災発生時における天井内への煙の入り込みを極力防止することができる。
【００５２】
ドア１５には、このドア１５を確実に閉じておくためのラッチ装置５０が設けられている。すなわち、図６および図７に詳細に示すように、ドア１５に対する枠部となる下側および上側補強部材１３、１４には、これら補強部材１３、１４の面から突出する方向に金属板状のホルダ５１が設けられており、このホルダ５１には穴部５２が貫通状態で形成されている。ドア１５には貫通穴５３が形成されており、ドア１５の閉状態すなわちドア１５が補強部材１３、１４に近接した状態においては、ホルダ５１が貫通穴５３を貫通して、その穴部５２が、ドア１５における補強部材１３、１４への近接面とは反対側の面５４から突出して位置することが可能とされている。
【００５３】
ドア１５における面５４の側には、ドアラッチ５５が設けられている。詳細には、ドアラッチ５５は、面５４から突出するように設けられた一対のブラケット５６、５７によって水平方向である長さ方向にスライド自在に支持されている。そしてドアラッチ５５は、前記のスライドを行うことで、図７（ａ）に示すようにその先端部５８がホルダ５１の穴部５２に入り込んだラッチ状態と、図７（ｂ）に示すように先端部５８が穴部５２から抜け出した解放状態とをとることができる。一対のブラケット５６、５７どうしの間におけるドアラッチ５５の部分の外周には圧縮コイルばね５９がはめ合わされており、このばね５９は、ドアラッチ５５の先端部５８がホルダ５１の穴部５２に入り込むように、このドアラッチ５５を押し出す方向に作用する。ドアラッチ５５の先端部５８には傾斜面６０が形成されている。この傾斜面６０は、ばね５９によりドアラッチ５５が押し出された状態で、ドアクローザ２５、２５の作用などによってドア１５が閉じられるときに、ホルダ５１の突端部６１に当たることで、この突端部６１によってドアラッチ５５をばね５９の力に抗して押し戻すように作用する。これによって、ドアラッチ５５は、ドア１５の閉動時に、ホルダ５１の突端部６１の位置を通過したうえで穴部５２にはまり込むことが可能である。
【００５４】
上下方向に沿ったドア１５の中央部には、回転式のドアノブ６２が設けられている。６３は、その回転作動部である。回転作動部６３とドアラッチ５５の尾部６４とは、可撓性および耐熱性を有する紐状伝達部材としてのワイヤ６５によって互いに連結されている。このワイヤ６５は、上下の剛性部材１８、１９に沿ってドアラッチ５５のスライド方向に配置されるとともに、ピンやローラなどの方向転換部材６６を介したうえで、ドア１５に沿ってドアノブ６２の回転作動部６３に向けて上下方向に配置される。
【００５５】
このような構成において、火災発生時における防火区画用スクリーンシャッター装置の作動時には、ドア１５は、ドアクローザ２５、２５の作用によって閉じられており、またドアラッチ５５の先端部５８がホルダ５１の穴部５２に入り込んでいることにより、確実に閉止されている。火災発生時に避難者がドア１５を開けて避難する場合には、この避難者がドアノブ６２を回転操作することにより、ドアラッチ５５は、ワイヤ６５を介してばね５９の力に抗して引張られ、その先端部５８がホルダ５１の穴部５２から抜け出すことにより、解放状態となる。これにより、ドア１５を開動作させることが可能となる。
【００５６】
上述のようにドアラッチ５５を機能させることができ、しかもドアノブ６２の操作に連動してドアラッチ５５を解放させることが可能であるにもかかわらず、ドアノブ６２とドアラッチ５５との連動を、可撓性および耐熱性を有する紐状伝達部材としてのワイヤ６５にて行ったため、スクリーン１２をロール状に巻いて天井側に収納するときに、支障なく動作させることができる。
【図面の簡単な説明】
【００５７】
【図１】本発明の実施の形態の防火区画用スクリーンシャッター装置の斜視図である。
【図２】図１の防火区画用スクリーンシャッター装置の正面図である。
【図３】同防火区画用スクリーンシャッター装置の要部についての平面視の断面図である。
【図４】図３における要部の動作状態を示す拡大断面図である。
【図５】図４に示す部分の他の動作状態を示す拡大断面図である。
【図６】同防火区画用スクリーンシャッター装置の他の要部についての拡大正面図である。
【図７】図６における要部の動作状態を示す平面視の拡大断面図である。
【符号の説明】
【００５８】
１２    スクリーン
１５    ドア
１７    軸心
１８    上側剛性部材
３０    ワイヤ
３３    重ね合わせシート
４３    被押圧部
４６    折りたたみ部
５２    穴部
５５    ドアラッチ
６２    ドアノブ
６５    ワイヤ
【図１】
2008061722.tif 000003
【図２】
2008061722.tif 000004
【図３】
2008061722.tif 000005
【図４】
2008061722.tif 000006
【図５】
2008061722.tif 000007
【図６】
2008061722.tif 000008
【図７】
2008061722.tif 000009